(57)【特許請求の範囲】
【請求項１】
始動口と、該始動口へ遊技球が入球することに起因して入口を開放する大入賞装置と、該大入賞装置の入口への遊技球の入球を検出する入球検出手段と、上記大入賞装置内に設けられる特定領域と、上記大入賞装置内に設けられる特定領域以外の非特定領域と、を備え、上記始動口への遊技球の入球に起因する上記大入賞装置の入口の開放又は該開放中における上記入球検出手段による遊技球の検出に起因して有効期間の計測が開始され、該有効期間中に遊技球が上記特定領域を通過すると上記大入賞装置へ遊技球が入球し易くなる大当り状態に移行する弾球遊技機において、
上記始動口への遊技球の入球があると、該入球から遅延時間経過後に上記大入賞装置の入口を所定時間開放する構成とし、
上記始動口への遊技球の入球時に、該入球以前に上記入球検出手段により検出された遊技球が上記特定領域又は上記非特定領域に入球していない状態であるとき、上記遅延時間中に上記大入賞装置内に残存する遊技球を非特定領域へと誘導する排出誘導装置を作動させ、
上記遅延時間中に、上記入球検出手段により検出された遊技球が上記特定領域又は上記非特定領域に入球しない場合には、上記始動口への遊技球の入球から遅延時間が経過しても上記大入賞装置を開放しないことを特徴とする弾球遊技機。
【請求項２】
上記遅延時間中に、上記入球検出手段により検出された遊技球が上記特定領域に入球せず、上記排出誘導装置が作動しても上記入球検出手段により検出された遊技球が上記非特定領域に入球しない場合には、上記遅延時間の経過後も上記排出誘導装置の作動を継続させることを特徴とする請求項１に記載の弾球遊技機。
【発明の詳細な説明】
【技術分野】
【０００１】
本発明は弾球遊技機、特に始動口への入球に起因して大入賞装置の入口が開放可能とされ、かつ大入賞装置内の特定の領域を遊技球が通過すると大当り状態となる弾球遊技機に関する。
【背景技術】
【０００２】
弾球遊技機には、遊技盤上に、始動口と、該始動口へ遊技球が入球すると開閉する羽型の役物を有する大入賞装置とを備え、上記役物の開放時のみ上記大入賞装置内へ遊技球が入球可能で、かつ大入賞装置の内部において遊技球がＶ入賞口（特定の領域）に入球すると、大当りとなって上記役物を一定期間連続的に開閉して上記大入賞装置への入球を容易にし、遊技者にとって極めて有利な特別遊技に移行するようにしたものがある（第２種遊技機）。
【０００３】
一般に第２種遊技機では、遊技店と遊技者の利益バランスを保つために、始動口への入球の確率と、大入賞装置への入球の確率、およびＶ入賞口への入球の確率を綿密に計算して大当りが発生する確率を設定している。しかしながら、遊技者による不正行為等で大当りとなると遊技店と遊技者の利益バランスが崩れるといった問題が生ずる。そこで、上記Ｖ入賞口への入球があればいつでも大当りを発生させるのではなく、遊技者がピアノ線等で不正に大入賞装置の役物を開放させ、上記Ｖ入賞口に入球させて大当りを発生させるといった不正行為を防止するため、例えば、始動口への入球により大入賞装置が開放してから所定の時間のみＶ入賞口への入球を有効とする有効期間を設定することが行われている。これによれば、先ず始動口への入球がなければ、強制的に大入賞装置の入口を開いてＶ入賞口へ入球させても大当りとならない。
【０００４】
また不正行為以外にも、大当り遊技終了後に、大入賞装置内に残った遊技球がＶ入賞口へ入球すると連続して大当りが発生することとなり、この場合、遊技機の設計時点で想定した以外の大当りの発生となって遊技店と遊技者の利益バランスを崩すこととなる。そこで、下記特許文献１に記載されたように、大当り遊技終了後に、Ｖ入賞口への入球を無効にする特定玉受付制御手段と、大当り終了後にＶ入賞口への入球が無効となるまで始動口への入球を無効にする始動玉受付制御手段を設け、両制御手段により大当り遊技終了後の大入賞装置内に残った遊技球により再び大当りが発生することを防止し、想定外の大当りの発生を防ぐようにしたものが提案されている。
【特許文献１】特開２００１−６５８号公報
【発明の開示】
【発明が解決しようとする課題】
【０００５】
しかしながら、特許文献１の構造では想定外の大当りの発生を防止する構成として十分であるとはいえない。第２種遊技機は、一つの契機（一回の始動口への入球）で開放された大入賞装置へ入球した遊技球により、同契機で開始された有効期間中に特定の領域への入球を判定して大当り抽選を行うといった基本構成を有する。これに対して、例えば図１３（ａ）に示すように、始動口への入球があり（８０１）、これにより大入賞装置が開放（８０２）して装置内へ遊技球が入球したが（８０３）、有効期間（８０４）が経過しても遊技球がＶ入賞口やハズレ口のいずれにも入らないまま装置内に残った状態で、新たな始動口への入球があり（８０５）、これにより開始された有効期間中（８０６）に装置内に残っていた上記遊技球がＶ入賞口へ入球（８０７）すると、上記基本構成とは異なる想定外の大当りが発生（８０８）するといった問題がある。また、有効期間は大入賞装置開放時に入球があった場合（８０４）でも入球がなかった場合（８０６）でも同じ時間に設定しているので想定外の大当りが発生しやすい。
【０００６】
図１３（ｂ）に示すように、前の始動口への入球（８０１）による有効期間中（８０４）に、新たな始動口への入球があり（８０５）、両有効期間（８０４，８０６）が連続した状態になるとより想定外の大当りが発生（８０８）する。また、大入賞装置内に残った遊技球が直接Ｖ入賞口に入らなくても、残った遊技球が新たに大入賞装置が開放したときに入球した遊技球をＶ入賞口へ誘導することにより想定外の大当りを容易に発生させるといった問題があった。
【０００７】
そこで本発明は上記事情を鑑み、一つの契機で開放された大入賞装置へ入球した遊技球により、同契機で開始された有効期間中に特定領域への入球を判定して大当り抽選を行う基本構成とは異なる想定外の大当りの発生がなく、遊技店と遊技者の利益バランスを崩すことのない弾球遊技機を提供することを課題としてなされたものである。
【課題を解決するための手段】
【０００８】
本発明は、始動口と、該始動口へ遊技球が入球することに起因して入口を開放する大入賞装置と、該大入賞装置の入口への遊技球の入球を検出する入球検出手段と、上記大入賞装置内に設けられる特定領域と、上記大入賞装置内に設けられる特定領域以外の非特定領域と、を備え、上記始動口への遊技球の入球に起因する上記大入賞装置の入口の開放又は該開放中における上記入球検出手段による遊技球の検出に起因して有効期間の計測が開始され、該有効期間中に遊技球が上記特定領域を通過すると上記大入賞装置へ遊技球が入球し易くなる大当り状態に移行する弾球遊技機において、
上記始動口への遊技球の入球があると、該入球から遅延時間経過後に上記大入賞装置の入口を所定時間開放する構成とし、
上記始動口への遊技球の入球時に、該入球以前に上記入球検出手段により検出された遊技球が上記特定領域又は上記非特定領域に入球していない状態であるとき、上記遅延時間中に上記大入賞装置内に残存する遊技球を非特定領域へと誘導する排出誘導装置を作動させ、
上記遅延時間中に、上記入球検出手段により検出された遊技球が上記特定領域又は上記非特定領域に入球しない場合には、上記始動口への遊技球の入球から遅延時間が経過しても上記大入賞装置を開放しないことを特徴とする（請求項１）。
該入球以前に上記入球検出手段により検出された遊技球が上記特定領域又は上記非特定領域に入球していない状態、即ち、前の始動口への入球に起因して開放された大入賞装置内に遊技球が残っている場合、新たな始動口への入球に起因して、大入賞装置の開放を行う前に、排出誘導装置により排出口から大入賞装置内の遊技球を排出することができ、従来構造のように残った遊技球が特定領域を通過したり、残った遊技球が新たに大入賞装置内へ入球した遊技球を特定領域へ誘導することにより発生する想定外の大当りを防止する。更に遅延時間中に、入球検出手段により検出された遊技球が特定領域又は非特定領域に入球しない場合には、始動口への遊技球の入球から遅延時間が経過しても大入賞装置を開放しないので、より確実に想定外の大当りを防止できる。
【０００９】
非特定領域は大入賞装置に既設のハズレ口、通常は閉鎖されており遊技球を排出する際に開口されるものを指す。有効期間の計測は大入賞装置の開放と同時に開始又は大入賞装置の開放後に入球検出手段によって遊技球が検出されてから開始することが望ましい。尚、始動口への入球がないのに大入賞装置が開放した場合には、有効期間の計測を開始しない。排出誘導装置を作動させるか否かは、入球検出手段で検出された遊技球の数（大入賞装置に入球した遊技球の数）と、大入賞装置内に設置された特定領域やハズレ口および排出口（非特定領域）を通過した遊技球の数との差で判断することができる。
【００１０】
請求項１に記載の弾球遊技機において、上記遅延時間中に、上記入球検出手段により検出された遊技球が上記特定領域に入球せず、上記排出誘導装置が作動しても上記入球検出手段により検出された遊技球が上記非特定領域に入球しない場合には、上記遅延時間の経過後も上記排出誘導装置の作動を継続させることを特徴とする（請求項２）。
【発明の効果】
【００１４】
本発明の弾球遊技によれば、一つの契機で開放された大入賞装置へ入球した遊技球により、同契機で開始された有効期間中に特定領域への入球を判定して大当り抽選を行う基本構成とは異なる想定外の大当りの発生を防ぎ、遊技店と遊技者の利益バランスを保つことができる。
【発明を実施するための最良の形態】
【００１５】
図１は本発明を適用した第１の実施形態のパチンコ機を示す斜視図で、本パチンコ機は長方形の外枠１１１と前面枠１１２とを有し、前面枠１１２は、左端上下のヒンジ１１６により外枠１１１に対し水平方向に回動自在に取り付けられており、前面枠１１２と一体化している各部をメンテナンス時等に手前側に開き出すことが可能である。遊技機は、通常複数列レイアウトされる遊技機設置島に外枠１１１にて取り付けられ、プリペードカードユニットと交互に配置される。
【００１６】
前面枠１１２の内側には、前面枠１１２の高さ方向の上側略２／３の大きさをカバーする金枠１１３が取り付けられ、金枠１１３の左側を支軸にして金枠１１３の内周を縁取るガラス枠１１４が開閉可能に蝶着される。ガラス枠１１４にはガラス板１１５が二重に装填されている。ガラス板１１５の奥側で前面枠１１２の内側には遊技盤２１が収納され、ガラス板１１５を挟んで遊技者と対向するようになっている。
【００１７】
前面枠１１２の内側にはまた、金枠１１３の下方にバスタブ状の上皿１２１と下皿１２４とが手前側に突出して設けられている。上皿１２１の本体部にはエボナイド等の汚れのつきにくいものが用いられる。上皿１２１の側面には賞球の払出し用等の排球出口１２２が開口している。
【００１８】
上皿１２１は左右に手前に膨出する膨出部を有し、左側の膨出部の頂部には、上記プリペードカードユニットに挿入されたプリペードカードの残高を表示する残高表示部１３３、遊技球の貸し出しを受ける場合に押下する球貸し釦１３１および精算する場合の精算釦１３２が設けられている。
【００１９】
下皿１２４は側面に溢れ球排球出口１２５が開口しており、上皿１２１満杯時の溢れ球が流入するとともに発射し損ねた戻り球の球出口となっている。また、遊技者が上皿球抜きレバー１２３を操作することにより溢れ球排球出口１２５を介して上皿１２１と連通するようになっており、上皿１２１の遊技球を下皿１２４に移動することが可能である。また、下皿１２４が遊技球で満杯となった時には、下皿球抜きレバー１２６の操作により下皿１２４の底面が開口して下皿１２４の下方に排出可能であり、遊技球を別箱に移すことができる。
【００２０】
下皿１２４の右側には発射ハンドル１４１が設けられている。発射ハンドル１４１は、手前側に突出して取り付けられたグリップ部１４２の外周にリング状の回動リング１４３を同軸に設けてなり、遊技者が回動リング１４３を時計方向に回動すれば、上皿１２１から供給される遊技球を遊技盤２１の盤面上に発射することができる。
【００２１】
図２に示すように、遊技盤２１の盤面上には、盤面上を略円形に縁取るようにレール２２，２３が設けてあり、両レール２２，２３により囲まれた遊技領域が形成してある。両レール２２，２３は図中左側の一部が二重構造の発射口を形成しており、発射ハンドル１４１の操作で遊技球が両レール２２，２３に沿って発射され、上記遊技領域内に入る。遊技領域の中央には大入賞装置３が設けられ、その周囲に種々の始動口２４，２５、一般入賞口２６、図略の多数の遊技釘、風車等が設けられ、遊技領域の下端にはアウト口２７が形成されている。
【００２２】
大入賞装置３の下方に設けられた各始動口２４は、入球に起因して大入賞装置３の役物３０を１回開閉させるもので、始動口２５は入球に起因して役物３０を２回開閉させるものである。
【００２３】
図２ないし図４に示すように、大入賞装置３には、上部の左右両側にそれぞれ遊技球が入球可能な入口を開閉する一対の羽型の役物３０が設けられ、ソレノイド３００の駆動による両役物３０の開放時にのみ大入賞装置３内へ遊技球が入球可能である。また左右の上記入口にはそれぞれ、遊技球の入球を検出する入球検出手段たる入球検出スイッチ４０，４０が設置してある。入球検出スイッチ４０，４０は従来周知のもで、遊技球を挿通可能な開口部を備え、該開口部を遊技球が通過すると電気的に検出信号を発する近接センサを用いる。
【００２４】
役物３０の開放時に大入賞装置３内へ遊技球が入球すると、入球検出スイッチ４０がこれを検出し、賞球が払い出される。入球した遊技球は、一旦、上段の棚部で受けられ、該上段の棚部の中央の取込口３１より左右両側縁に形成された球通路３２を通り、通路下端の通路出口３３より装置下端のステージ３４へ送られる（図４（Ａ）（Ｂ））。
【００２５】
大入賞装置３内の上下中間位置には、中央に特定領域たるＶ入賞口３５が設けられ、特定領域以外の非特定領域として、該Ｖ入賞口３５の左右両側にハズレ口３５１が設けられている。これらＶ入賞口３５およびハズレ口３５１に対応して上記ステージ３４には、Ｖ入賞口３５またはハズレ口３５１へ遊技球を振り分ける振分機構たる円筒状の回転体３６が横設されている。回転体３６は電動モーターにより円筒の軸を中心に周方向、かつステージ３４から遊技球をＶ入賞口３５またはハズレ口３５１へ向けて上向きに案内するように回転している。回転体３６の外周部には複数の電磁石３６１が付設されている。回転体３６は、ステージ３４上の遊技球を電磁石３６１で吸着するとともに、上記回転により吸着した遊技球をＶ入賞口３５またはハズレ口３５１へ送る。尚、回転体３６は中央の電磁石３６１に吸着した遊技球を８０％〜１００％の確率でＶ入賞口３５へ入球させるようにしてある。
【００２６】
ステージ３４の遊技球が回転体３６の中央の電磁石３６１に吸着されて上方へ運ばれ、Ｖ入賞口３５へ入球すると（図４（Ｃ）（Ｄ））、Ｖ入賞口３５に設置されたＶスイッチ４１がこれを検出して大当りとなって上記特別遊技へ移行する。回転体３６の左右両側の電磁石３６１に吸着された遊技球はハズレ口３５１へ入球する（図４（Ｅ））。ハズレ口３５１にも図略のハズレスイッチが設置されている。このように大入賞装置３は、回転体３６で振り分けられた遊技球がＶ入賞口３５またはハズレ口３５１へ入球することで大当り抽選を行う。
【００２７】
ステージ３４には、上記非特定領域として、回転体３６の電磁石３６１にうまく吸着されない遊技球を排出する排出口３７が設けてある。排出口３７には、これを開閉可能な開閉板５０が設けてある。開閉板５０は排出誘導装置たる主制御装置６１の指令によりソレノイド５００が駆動され開閉される。通常、開閉板５０は閉じている。排出口３７には排出球検出スイッチ４２が設置してあり、排出された遊技球を検出する。排出口３７から排出された遊技球はハズレ口３５１への入球と同様にハズレとする。尚、上記排出誘導装置たる主制御装置６１は排出誘導時に開閉板５０の開放指令とともに、電磁石３６１への電力を遮断して電磁石３６１の磁力がなくなるようにしている。
【００２８】
尚、大入賞装置３は、回転体３６が電磁石３６１により遊技球を吸着して運搬するので、遊技者の不正行為等による衝撃の影響を受けやすく、大入賞装置３の遊技盤２１への取付構造は防振部材３９を用いた防振構造としてある。図の５５は表示装置である。
【００２９】
図５は本パチンコ機の電気的構成を示すブロック図で、主制御装置６１は、遊技制御プログラムを記憶したＲＯＭおよび演算等の作業領域として働くＲＡＭを内蔵したワンチップマイコンを中心とした論理演算回路として構成され、各装置や基板類、各種スイッチ類および各種アクチュエータ類との入出力を行うための外部入出力回路も設けられている。
【００３０】
主制御装置６１が信号入力を受ける各種スイッチ類について説明する。満タンスイッチ７１１は下皿１２４内に設けられた圧力センサであり、下皿１２４が遊技球で満タン状態になったことを検知する。玉切れスイッチ７１２は図略の球タンクに設けられた圧力センサであり、球タンク内に遊技球が不足していることを検知する。
【００３１】
始動口１スイッチ７１３は始動口２４内に、始動口２スイッチ７１４は始動口２５内に設けられ、それぞれ遊技球を検知する。Ｖスイッチ４１はＶ入賞口３５内に設けられ、遊技球が特別領域を通過したことを検知する。入球検出スイッチ４０は大入賞口５４内に入球するすべての遊技球を検知する。ハズレスイッチ７４３はハズレ口３５１内に設けられ、遊技球がハズレ口３５１を通過したことを検知する。排出球検出スイッチ４２は排出口３７内に設けられ、遊技球が排出口３７から排出されたことを検知する
【００３２】
賞球払い出しスイッチ７１７は払出制御装置６２から払い出される賞球をカウントする。カウント信号は払出制御装置６２へも送信される。各普通入賞口スイッチ７１８は各普通入賞口５３に入賞した遊技球を検知する。
【００３３】
主制御装置６１により駆動される上記アクチュエータ類について説明する。作動用ソレノイド３００は大入賞装置３の役物３０の開閉に使用される。振分回転体モーター７３７は回転体３６の回転駆動に使用される。開閉板５０用ソレノイド５００は排出口３７の排出誘導装置５０の開閉板の開閉駆動に使用される。
【００３４】
払出制御装置６２は１チップマイクロコンピュータを用いた論理演算回路として構成されたもので、主制御装置６１と双方向通信を行い、主制御装置６１からの制御コマンドに従って入賞があった場合に賞球モータ７２２を作動せしめて賞球の払い出しの制御を行うとともに、プリペードカードユニット７２３およびＣＲ精算表示装置７２４と双方向通信を行い、球貸しソレノイド７２５を駆動して貸し球の供給の制御を行う。貸球の数は球貸しセンサ７３６の出力に基づいてカウントされる。ＣＲ精算表示装置７２４は上記上皿１２１の押し釦１３２，１３３および残高表示部１３１形成位置に内蔵され、球貸し釦１３２の押下でオンする球貸しスイッチ、精算釦１３３の押下でオンする精算スイッチおよび残高表示部１３１における数値表示用のＬＥＤから構成されている。
【００３５】
発射制御装置６３は、遊技者が操作する発射ハンドルの回動量を検知する回動量センサ（図４中、発射ハンドル）７２６の検知量に応じて図示しない発射装置を構成する発射モータ７２７を駆動制御するもので、１チップマイコンからなる。発射制御装置６３は、払出制御装置６２と、払出制御装置６２からの送信のみが許容される一方向通信を行う。発射制御装置６３には発射停止スイッチ７２７が接続され、遊技者により操作されると発射を一時的に停止せしめるようになっている。また、タッチスイッチ７２８は発射ハンドル１４１に内蔵されて、遊技者が発射ハンドル１４１に触れているか否かを検知するもので、弾球遊技機が稼働中か否かが知られる。
【００３６】
サブ統合基板６６は、主制御装置６１からの指令を受けてこの指令を表示制御装置６４および表示装置５５に中継するとともに、１チップマイコンとランプ出力用のＩＣチップからなるランプ制御装置を有し、各種のランプ類７３３のランプ制御を行う。
【００３７】
またサブ統合基板６６は多数の音声データを記憶したマスクＲＯＭ内蔵の１チップマイコンと、これにより制御される音源ＩＣおよびアンプ等からなる音声制御装置を備えており、これにより主制御装置６１および演出図柄制御装置６４からの指令を受けて、録音した音源をフレーズに組み立てスピーカ７３５を駆動する音声制御を行う。
【００３８】
表示制御装置６４は１チップマイコン等を中心に構成され、サブ統合基板６６を経由した主制御装置６１の指令に基づいて大入賞装置３に組み込まれた表示装置５５の画像を制御する。
【００３９】
主制御装置６１の通信の構成はインバータ回路やラッチ回路を用いて構成される。
【００４０】
また、主制御装置６１は、盤用外部接続端子７４１を介して、遊技場内の弾球遊技機全体を管理するホールコンピュータ１ｃと接続され、ホールコンピュータに賞球の払い出し数等の種々の遊技情報を送信するようになっている。また、試験信号端子７４２と接続され、弾球遊技機を所定の状態として、故障の解析などを行うことができる。更に、ガラス枠１１４の開閉状態を検知する扉開放スイッチ７５１が接続され、ガラス枠１１４が開放されると、これを遊技場側に知らせるようになっている。各装置６１，６２，６４，６６等には、ＡＣ２４Ｖ電圧を整流する電源基板６７より定電圧が供給される。
【００４１】
次に図６ないし図１１に基づいて、本パチンコ機の主制御装置６１により制御される大入賞装置３の作動について説明する。尚、主制御装置６１は、大入賞装置３の役物３０の開放制御、開閉板５０等を制御する排出誘導装置、排出誘導装置の作動を規制する誘導規制手段、および大入賞装置３の開放を制御する開放規制手段を構成している。図６に示すように、始動口２４への入球があり始動口スイッチ７１３がオンになると（８１１）、所定時間遅れて（遅延時間Ａ）大入賞装置３の役物３０が作動して大入賞装置３の入口が開放する（８１２）。また大入賞装置３の開放と同時に有効フラグが作動となって有効期間の計測が開始される（８１３）。大入賞装置３の開放中に大入賞装置３への入球がなければ、有効期間は大入賞装置３の閉鎖と同時に終了する。
【００４２】
始動口２４への入球（８１４）を起因とする大入賞装置３の開放中（８１５）に大入賞装置３への入球により入球検出スイッチ４０がオンになると（８１６）、大入賞装置３が閉鎖しても有効期間は所定時間（Ｂ時間）に延長される（８１７）。Ｂ時間が経過して有効期間（８１７）終了後に、Ｖ入賞口３５への入球がありＶスイッチ４１がオンになっても（８１８）大当り遊技にならない。一方、有効期間延長中（８２２）に、ハズレ口３５１への入球がありハズレスイッチ７４３がオンになると（８２３）、有効期間（８２２）はＢ時間の経過を待たずに終了となる。尚、有効期間中は大入賞装置３の表示装置５５に有効期間中であることが表示される。また表示装置５５には、有効期間以外でＶ入賞口３５への入球した場合に、有効期間以外での入球であり、大当りにならないといったメッセージが表示される。
【００４３】
また、遊技者の不正行為により始動口２４への入球なしに大入賞装置３を開放し（８２４）、大入賞装置３への入球があっても（８２５）、有効期間が計測されず（図の仮想線）、Ｖ入賞口３５への入球があっても（８２６）大当り遊技にならない。
【００４４】
図７に示すように、始動口２４への入球（８２７）に起因する大入賞装置３の開放時（８２８）の大入賞装置３への入球（８２９）による有効期間延長中（８３０）に、Ｖ入賞口３５への入球があると（８３１）、大当り遊技となって（８３２）、大入賞装置３が連続的に開放する。尚、Ｖ入賞口３５への入球（８３１）から大当り遊技（８３２）となる間にはタイムラグ（Ｃ時間）を設けている。大当り遊技は、１ラウンド当たり、例えば大入賞装置を１８回開放するかまたは大入賞装置へ遊技球が１０個入球すると終了となる遊技を例えば１５回（ラウンド）継続する。また大当り遊技はラウンド回数が抽選され（例えば１ランド、５ラウンド、１５ラウンドの中ら選択される）、仮に１５ラウンドが選択されても、各ラウンド中にＶ入賞口３５への入球がなければ１５ラウンドになる前に大当り遊技が終了する。大当りとなると、表示装置５５には、ラウンド抽選の結果や大当り遊技中のラウンド回数、大入賞装置３への入球数等が表示される。
【００４５】
図８に示すように、始動口２４への入球（８３５）に起因する大入賞装置３の開放時（８３６）に大入賞装置３に２つの遊技球が入球（８３７，８３８）した場合、有効期間（８３９）は期間中に一方の遊技球がハズレ（８４０）であっても終了せず、上記Ｂ時間の経過、または他方の遊技球の抽選結果が出た時点（図例ではハズレ８４１）で終了となる。つまり、入球検出スイッチ４０で検出された遊技球の数分、ハズレ口３５１に遊技球が入ったら有効期間が終了する構成である。
【００４６】
大入賞装置３の開放時（８４３）に大入賞装置３に２つの遊技球が入球（８４４，８４５）し、有効期間中（８４６）に一方の遊技球が当たり（８４７）となると、有効期間（８４６）は終了となるが、Ｃ時間経過後に大当り遊技を実行せず（図の仮想線）、他方の遊技球の抽選結果（図例ではハズレ（８４８））が出たＤ時間後に大当り遊技を実行する（８４９）。このような構成にすることで、大当り遊技開始時には、必ず大入賞装置内に遊技球がない状態にできる。例えば大当り開始時に大入賞装置３内に遊技球があると、容易に次のラウンドに移行してしまう（容易にＶ入賞口３５へ入球してしまう）が、これを防止できる。
【００４７】
図９に示すように、始動口２４への入球（８５０）に起因する大入賞装置３の開放時（８５１）に大入賞装置３への入球（８５２）があり、この遊技球の抽選結果が出ない（Ｖ入賞口３５にもハズレ口３５１にも入っていない状態）まま、有効期間（８５３）が終了して、次に新たな始動口２４への入球（８５４）があると、Ｅ時間経過した後に主制御装置６１の上記排出誘導装置が作動して開閉板５０を開放し、これにより排出口３７を開放する。そして遊技球が排出口３７から排出されたことを排出球検出スイッチ４２の検出（８５６）により確認する（８５５）。上記排出誘導装置の作動は始動口２４への入球（８５４）から大入賞装置３の開放（８５７）までの遅延時間Ａに行われ、遊技球排出の検出（８５６）により終了する。排出球検出スイッチ４２が遊技球を検出して排出を確認すると上記排出誘導装置は作動を停止して開閉板５０を閉じる。尚、遅延時間Ａに遊技球を排出するので、大入賞装置３内に残った遊技球による影響がない。
【００４８】
大入賞装置３内に遊技球が残っていなければ（図ではハズレ８６０）、次に始動口２４への入球（８６１）時に排出誘導装置は作動しない（仮想線）。大入賞装置３の開放（８６２）時に入球（８６３）があり、この遊技球の結果が出ないまま、次の新たな始動口２４への入球（８６５）により排出誘導装置が作動（８６７）し、排出誘導装置の作動中にハズレ（８６６）となっても排出誘導装置の作動は終了する。尚、排出誘導装置の作動は、有効期間終了後に遊技球がＶ入賞口３５へ入球しても終了する。即ち、排出誘導装置の作動は遊技球が大入賞装置３内に残っていないことが確認されると終了する。
【００４９】
図１０に示すように、始動口２４への入球（８６９）に起因する大入賞装置３の開放時（８７０）に大入賞装置３に２つの遊技球が入球（８７１，８７２）し、一方の遊技球がハズレ（８７４）となったが、有効期間（８７３）終了後に新たに始動口２４への入球（８７５）があると、排出誘導装置が作動（８７６）して他方の遊技球を排出する（８７７）。
【００５０】
大入賞装置３の開放時（８７８）に入球（８７９）があり、有効期間延長中（８８０）では、新たな始動口２４への入球（８８１）があっても、主制御装置６１の上記誘導規制手段の規制により排出誘導装置を作動させず、更に主制御装置６１の上記開放規制手段の規制により大入賞装置３の開放を行わない（仮想線）。有効期間（８８０）終了後の始動口２４への入球時（８８２）、まだ大入賞装置３内に遊技球が残っていれば、排出誘導装置が作動（８８３）して遊技球を排出する（８８４）。尚、有効期間延長中（８８５）に新たに始動口２４への入球（８８６）があり、Ａ時間経過後には有効期間（８８５）が終了する場合でも大入賞装置３の開放を行わない（仮想線）。
【００５１】
有効期間中に新たな始動口２４への入球があっても、誘導規制手段により排出誘導装置を作動させないので不用意に大当りの可能性を無くすことがない。また、有効期間中に大入賞装置を開放させると、装置内に残っている遊技球が新たに入球した遊技球を特定領域へ誘導して想定外の大当りを容易に発生させるおそれがあるが、開放規制手段により大入賞装置を開放させないので想定外の大当りを予防できる。また有効期間の重複（図１３（ｂ）参照）や、有効期間の間隔が短くなることを防ぐことができ、想定外の大当りを防ぐ。開放規制手段により有効期間中には大入賞装置を開放させない構成とすると、有効期間中の始動口２４への入球が無駄になってしまうので、大入賞装置３の入球がない場合には有効期間を延長せず、入球がある場合に有効期間を延長するようにして必要以上に有効期間を延長させず無駄を少なくする。
【００５２】
図１１（ａ）に示すように、始動口２４への入球（８８７）で開放（８８８）した大入賞装置３に２つの遊技球が入球（８８９，８９０）し、一方の遊技球がハズレ（８９２）となったが他方の遊技球が大入賞装置３内に残った状態で、有効期間（８９１）終了から所定のＦ時間経過した場合には、新たな始動口２４の入球がなくても、排出誘導装置を作動（８９３）して他方の遊技球を排出する（８９４）。尚、大入賞装置３への入球が１つの場合でもＦ時間経過後に排出する。
【００５３】
大入賞装置３へ入球（８９７）した遊技球が装置３内に残った状態で、有効期間（８９８）の終了後に新たに始動口２４への入球（８９９）があると、排出誘導装置を作動して遊技球を排出しようとするが、始動口２４への入球（８９９）からＡ時間経過しても遊技球を排出できない場合は、始動口２４への入球（８９９）で開放（９０１）した大入賞装置３に入球（９０２）があっても、有効期間（９０３）を延長せず、大入賞装置３内に残った遊技球（２つ）を排出するか、または両遊技球の抽選結果（図では当たり（９０４，９０５））が出るまで排出誘導装置の作動（９００）を継続する。当然、Ｖ入賞口３５への入球（９０４，９０５）であっても有効期間中でないので大当りとならず、想定外の大当りの発生を防止できる。
【００５４】
また、始動口２４への入球（９１０）からＡ時間経過しても遊技球を排出できない場合は、図１１（ｂ）に示すように、始動口２４への入球（９１０）からＡ時間経過しても大入賞装置の開放および有効期間の計測を行わず（仮想線）、大入賞装置３内に残った遊技球を排出するか、または遊技球の結果（図ではＶ入賞口３５へ入球（９１２））が出るまで排出誘導装置の作動（９１１）を継続する。これによれば、図１１（ａ）に示す有効期間（９０３）を延長させない構成よりも、より確実に想定外の大当りの発生を防止できる。
【００５５】
尚、遊技球の入球により大入賞装置３を１回開放する始動口２４を中心に説明したが、入球により大入賞装置３を２回開放する始動口２５でも同様な制御を行う。始動口２５へ入球した場合には大入賞装置３を２回開放するが、この２回の開放は一つの契機（始動口２５への入球）により発生したものであるので、１回目に開放した時に大入賞装置３に入球した遊技球が２回目の開放が終了してからＶ入賞口３５へ入球しても（大当りとなっても）想定外ではない。同様に、１回目の開放により入球した遊技球が２回目の開放で入球した遊技球に影響をおよぼしても問題にはならない。
【００５６】
本実施形態によれば、大入賞装置３開放時に装置３への入球がなければ有効時間を延長しないようにしたので、既に大当りの可能性が無いときに意味のない遊技時間を短縮できる。また有効期間延長中であってもハズレ口３５１へ入球してハズレとなると、この時点で有効期間を終了して必要以上に有効期間を延長しないようにしたので、仮に大当りの可能性が無いのに有効期間が長いと、有効期間中に新たに始動口２４，２５への入球があっても大入賞装置３を開放しないので始動口２４への入球が無駄になってしまう。また有効期間は、始動口２４，２５への入球なしに不正に大入賞装置３を開放しても有効期間が計測されないので、不正行為を防ぐことができる（図６）。
【００５７】
大入賞装置３には排出口３７と排出口３７へ遊技球を誘導する排出誘導装置を設け、有効期間終了後に大入賞装置３内に遊技球が残った状態で、新たに始動口２４，２５への入球があると、排出誘導装置を作動して排出口３７より遊技球を排出するようにしたので、大入賞装置３内に残っている遊技球が、新たな始動口２４，２５への入球により計測された有効期間中にＶ入賞口３５へ入球して大当りとなったり、大入賞装置内３に残った遊技球が直接Ｖ入賞口３５に入らなくても、残った遊技球が新たに大入賞装置３内に入球した遊技球をＶ入賞口３５へ誘導して大当りとなるといった想定外の大当り遊技の発生を防止できる（図９）。従って、本パチンコ機は、一つの契機（一回の始動口への入球）で開放された大入賞装置へ入球した遊技球により、同契機で開始された有効期間中に特定領域への入球を判定して大当り抽選を行う構成にでき、遊技店と遊技者の利益バランスを崩すことがない。
【００５８】
大入賞装置３内に遊技球が残っているか否かの判定は、入球検出スイッチ４０で検出された遊技球の数（大入賞装置に入った遊技球の数）と、Ｖスイッチ４１やハズレスイッチ７４３および排出球検出スイッチ４２で検出された遊技球の数（大入賞装置を出た遊技球の数）との差で判断することができる。
【００５９】
また、始動口２４，２５への入球から大入賞装置３の開放および有効期間の計測までの遅延時間（Ａ時間）で排出誘導装置を作動して遊技球を排出するようにしたので、大入賞装置３から遊技球を効率よく排出でき（図９）、前の始動口２４，２５への入球を起因とする遊技契機の影響を受けずに新たな始動口２４，２５への入球を起因とする遊技契機を開始することができる。
【００６０】
有効期間中に新たな始動口２４，２５への入球があった場合、有効期間中に排出誘導装置を作動すると大当りとなる可能性を潰すこととなるが、有効期間中は新たな始動口２４，２５への入球があっても、誘導規制手段により排出誘導装置を作動させず、かつ開放規制手段により新たな始動口２４，２５への入球を起因とする大入賞装置３の開放および有効期間の計測を行わないので、大当りの可能性を持続でき、設計通り（想定通り）の大当り抽選が可能になる（図１０）。尚、有効期間中に新たに始動口２４，２５への入球があり、新たな始動口２４，２５への入球から遅延時間（Ａ時間）経過後に有効期間が終了する場合には、新たな大入賞装置３の開放および新たな有効期間の計測を開始してもよい。開放規制手段により有効期間中には大入賞装置を開放させない構成とすると、有効期間中の始動口２４への入球が無駄になってしまうので、大入賞装置３の入球がない場合には有効期間を延長せず、入球がある場合に有効期間を延長するようにして必要以上に有効期間を延長させず無駄を少なくする。
【００６１】
遊技球が大入賞装置３内に残っている状態で、有効期間終了から所定のＦ時間経過した場合には、新たな始動口２４，２５への入球がなくても、排出誘導装置を作動して大入賞装置３内に残っている遊技球を排出するようにしたので、確実に想定外の大当りの発生を防止できる。また、排出誘導装置は、上記遅延時間（Ａ時間）内に遊技球を排出できなくても、遊技球を排出するまで作動するので確実に遊技球を排出できる。この場合、排出誘導装置の作動中に大入賞装置３が開放して装置３への入球があっても有効期間を延長しないので、想定外の大当りを防止できる（図１１（ａ））。排出誘導装置の作動中には、大入賞装置３の開放や有効期間の計測を行わないようにしてもよい（図１１（ｂ））。
【００６２】
本パチンコ機では、大当り遊技中の各ラウンド間のインターバル中にも排出誘導装置を作動させて、各ラウンドの開始時点で大入賞装置３内に遊技球が残っていないように構成している。これによれば、想定したＶ入賞口３５への入球率が大入賞装置３内に残っている遊技球の影響を受けて変化せず、想定外の次のラウンドへの移行を防止できる。
【００６３】
次に、本発明を適用した第２の実施形態を説明する。本実施形態の基本構造は先の実施形態のそれとほぼ同じで、相違点を中心に説明する。本実施形態のパチンコ機には、回転体３６の中央の吸着した遊技球をＶ入賞口へ送る電磁石３６１に、遊技球を吸着したか否かを検出するＶ磁石スイッチを設けるとともに、主制御装置６１には、上記スイッチの検出信号の有無と有効期間の残り時間等により、大入賞装置３内の遊技球がＶ入賞口へ入球する確率が高いか否かの判定を行うようにしている（判定手段）。すなわち判定手段は、回転体３６の中央の電磁石３６１に遊技球が吸着されたことを検出し、有効期間の残り時間が充分にあれば、Ｖ入賞口へ入球する確率が高いと判定する。
【００６４】
図１２（ａ）に示すように、始動口２４への入球（９１３）により開放した大入賞装置３への入球（９１５）があって有効期間延長中（９１６）に、新たに始動口２４への入球（９１７）があると、上記判定手段によりにＶ磁石スイッチを判定して信号がなく大入賞装置３内にある遊技球で大当りの可能性が低いと判定すれば、有効期間中の上記誘導規制手段の規制を解除して排出誘導装置を作動させ（９１８）、排出終了（９１９）後、有効期間中の上記開放規制手段の規制を解除して新たな始動口２４への入球（９１７）を起因とする大入賞装置３の開放（９２０）を行う。これにより大入賞装置３への入球（９２１）があり、有効期間中（９２２）にＶ入賞口３５へ入球（９２３）すると大当り遊技（９２４）を実施する。
【００６５】
一方、図１２（ｂ）に示すように、有効期間中（９２８）に新たな始動口２４への入球（９２９）があっても、上記判定手段によりにＶ磁石スイッチの信号を検出（９３０）して大入賞装置３内にある遊技球で大当りとなる可能性が高いと判定すれば、上記誘導規制手段および上記開放規制手段の規制により、有効期間中の新たな始動口２４への入球（９２９）を起因とする排出誘導装置の作動および大入賞装置３の開放を行わない（仮想線）。有効期間中（９２８）にＶ入賞口３５へ入球（９３１）すると大当り遊技（９３２）を実施する。
【００６６】
本実施形態によれば、第１の実施形態と同様に不正行為により大当りや想定外大当りの発生を防止できるうえ、第１の実施形態では大入賞装置３内に遊技球があり有効期間中では新たな始動口２４，２５への入球があっても排出誘導装置の作動および新たな大入賞装置３の開放を行わないが、これに対して本パチンコ機では、判定手段により大入賞装置３内の遊技球で大当りの可能性が低い場合は、排出誘導装置の作動させ、新たな大入賞装置３の開放を行なうようにしたので、大当りの可能性のない無意味な遊技時間を短縮でき、新たに大入賞装置３を開放すことで新たに入球する遊技球により大当りの可能性が発生するので、遊技者の利益を確保できる。
【００６７】
尚、上述の第１および第２の実施形態はすべての点で例示であって本発明の範囲を限定するものではなく、本発明は上述の実施形態を様々に変形、変更したものも含まれる。例えば、大入賞装置内のＶ入賞口に開閉式のシャッターを設けて有効時間中のみＶ入賞口を開放するようにしてもよし、大入賞装置内に遊技機球をＶ入賞口またはハズレ口へ振り分ける振分機構として回転体に限らず、クルーン等の他の振分機構でもよい。また大入賞装置内の下端部にＶ入賞口およびハズレ口を並設してもよい。この場合、排出誘導装置として、上記Ｖ入賞口を開閉可能なシャッターを設け、ハズレ口と排出口を共用することが望ましい。
【図面の簡単な説明】
【００６８】
【図１】本発明を適用した弾球遊技機の斜視図である。
【図２】本発明の第１の実施形態の遊技盤の概略正面図である。
【図３】上記遊技盤の中央に組付けられた大入賞装置の縦断面図である。
【図４】上記大入賞装置の作動を示す概略説明図である。
【図５】本発明を適用した弾球遊技機の電気的の構成を示すブロック図である。
【図６】第１の実施形態の弾球遊技機の有効期間の計測動作を示すタイムチャートである。
【図７】上記弾球遊技機の大当り遊技の動作を示すタイムチャートである。
【図８】上記弾球遊技機の有効期間の他の計測動作を示すタイムチャートである。
【図９】上記弾球遊技機の排出誘導装置の動作を示すタイムチャートである。
【図１０】上記弾球遊技機の排出誘導装置の他の動作を示すタイムチャートである。
【図１１】上記弾球遊技機の排出誘導装置の更に他の動作を示すタイムチャートである。
【図１２】本発明の第２の実施形態の弾球遊技機の排出誘導装置の動作を示すタイムチャートである。
【図１３】従来の弾球遊技機の大入賞装置の動作を示すタイムチャートである。
【符号の説明】
【００６９】
２４，２５  始動口
３  大入賞装置
３５  Ｖ入賞口（特定領域）
３５１ ハズレ口（非特定領域）
３７  排出口（非特定領域）
４０  入球検出スイッチ（入球検出手段）
５０  開閉板
６１  主制御装置（排出誘導装置、誘導規制手段、開放規制手段、判定手段）
【図１】
0004756207.tif 000002
【図２】
0004756207.tif 000003
【図３】
0004756207.tif 000004
【図４】
0004756207.tif 000005
【図５】
0004756207.tif 000006
【図６】
0004756207.tif 000007
【図７】
0004756207.tif 000008
【図８】
0004756207.tif 000009
【図９】
0004756207.tif 000010
【図１０】
0004756207.tif 000011
【図１１】
0004756207.tif 000012
【図１２】
0004756207.tif 000013
【図１３】
0004756207.tif 000014